(57)【要約】【課題】両扉の合わせ部から筐体本体内への水の浸入を防止することができる両扉式の電気機器収納用箱を提供する。【解決手段】電気機器を収納する筐体本体１と、垂直方向の回転軸により先に閉じられる左扉２ａの端部に対し、後に閉じられる右扉２ｂの端部を重ね合わせることで筐体本体１の開口部を覆う観音開きの両扉２とを備えた両扉式の電気機器収納用箱であって、左扉２ａの端部の少なくとも上部に水切り金具１０を設けるとともに、両扉２の内側周縁部に各々筐体本体１と当接するパッキン４ａ、４ｂを設け、さらに左扉２ａに設けられた左パッキン４ａは、水切り金具１０から右扉２ｂ側に向けて突出する突出部２０を有するものとした。【選択図】図５
2018081994.tif 000002
【特許請求の範囲】
【請求項１】
電気機器を収納する筐体本体と、
垂直方向の回転軸により先に閉じられる一方扉の端部に対し、後に閉じられる他方扉の端部を重ね合わせることで前記筐体本体の開口部を覆う観音開きの両扉とを備えた両扉式の電気機器収納用箱であって、
前記一方扉の端部の少なくとも上部に水切り金具を設けるとともに、
前記両扉の内側周縁部に各々筐体本体と当接するパッキンを設け、
さらに一方扉に設けられたパッキンは、前記水切り金具から他方扉側に向けて突出する突出部を有することを特徴とする両扉式の電気機器収納用箱。
【請求項２】
前記突出部は、先端につれ筐体内側方向に傾斜した形状であることを特徴とする請求項１記載の両扉式の電気機器収納用箱。
【請求項３】
前記突出部は、筐体本体側に湾曲するよう形成されていることを特徴とする請求項１または２記載の両扉式の電気機器収納用箱。
【請求項４】
前記他方扉に設けられたパッキンは、その端部を上方に拡張させた拡張部を有し、この拡張部が前記水切り金具の上部を覆うことを特徴とする請求項１乃至３の何れかに記載の両扉式の電気機器収納用箱。
【発明の詳細な説明】
【技術分野】
【０００１】
本発明は、観音開きの両扉を備えた両扉式の電気機器収納用箱に関するものである。
【背景技術】
【０００２】
電気機器を収納するための電気機器収納用箱としては、筐体本体の開口部を覆う観音開きの両扉を備えたものがある。このような両扉式のものにおいては、先に閉じられる左扉の端部に対して、後に閉じられる右扉の端部を外側から重ね合わせることで閉状態になるものとしている。ここで、先に閉じられる左扉の上下端部には、それぞれ垂直断面略コ字状に形成された水切り金具を設けるとともに、両扉の内側周縁部には各々筐体本体と当接するパッキンを設けるものとして、両扉が重なり合う合わせ部から筐体本体内へと水が浸入することを防止できるものとしている（特許文献１）。
【０００３】
しかしこのような構造を採用した場合、合わせ部における水平断面図として図９に示すように、両扉２（左扉２ａ、右扉２ｂ）を閉じた際に、左扉２ａに溶接された水切り金具１０が右扉２ｂに設けた右パッキン４ｂと当接することにより、水切り金具１０及び左パッキン４ａの厚さの分だけ水平断面略三角形状の隙間４０が発生してしまい、この箇所から筐体本体１内に水が浸入してしまう恐れがあった。
【先行技術文献】
【特許文献】
【０００４】
【特許文献１】特許第４６０５７０９号公報
【発明の概要】
【発明が解決しようとする課題】
【０００５】
本発明の目的は前記した従来の問題点を解決し、両扉の合わせ部から筐体本体内への水の浸入を防止することができる両扉式の電気機器収納用箱を提供することである。
【課題を解決するための手段】
【０００６】
上記課題を解決するためになされた本発明は、電気機器を収納する筐体本体と、垂直方向の回転軸により先に閉じられる一方扉の端部に対し、後に閉じられる他方扉の端部を重ね合わせることで前記筐体本体の開口部を覆う観音開きの両扉とを備えた両扉式の電気機器収納用箱であって、前記一方扉の端部の少なくとも上部に水切り金具を設けるとともに、前記両扉の内側周縁部に各々筐体本体と当接するパッキンを設け、さらに一方扉に設けられたパッキンは、前記水切り金具から他方扉側に向けて突出する突出部を有することを特徴とするものである。
【０００７】
請求項２記載の発明は、請求項１記載の両扉式の電気機器収納用箱において、前記突出部は、先端につれ筐体内側方向に傾斜した形状であることを特徴とするものである。
【０００８】
請求項３記載の発明は、請求項１または２記載の両扉式の電気機器収納用箱において、前記突出部は、筐体本体側に湾曲するよう形成されていることを特徴とするものである。
【０００９】
請求項４記載の発明は、請求項１乃至３の何れかに記載の両扉式の電気機器収納用箱において、前記他方扉に設けられたパッキンは、その端部を上方に拡張させた拡張部を有し、この拡張部が前記水切り金具の上部を覆うことを特徴とするものである。
【発明の効果】
【００１０】
本発明に係る両扉式の電気機器収納用箱は、一方扉である左扉の端部の少なくとも上部に水切り金具を設けるとともに、両扉の内側周縁部に各々筐体本体と当接するパッキンを設け、さらに左扉に設けられたパッキンは、水切り金具から他方扉である右扉側に向けて突出する突出部を有するものとした。これにより、従来水切り金具が右扉に設けたパッキンと当接することにより発生していた隙間を、前述の突出部により埋めることができるものとなり、両扉の合わせ部から筐体本体内への水の浸入を確実に防止することができる。
【図面の簡単な説明】
【００１１】
【図１】本実施形態の電気機器収納用箱を示す全体斜視図である。
【図２】右扉を開いた状態を示す図である。
【図３】両扉を裏面からみた図である。
【図４】左扉の斜視図である。
【図５】左扉の上部拡大図である。
【図６】左扉の上面図である。
【図７】両扉の合わせ部における水平断面図である。
【図８】右扉の垂直断面図である。
【図９】従来の両扉の合わせ部における水平断面図である。
【発明を実施するための形態】
【００１２】
以下に本発明の好ましい実施形態を示す。なお、本明細書中における上下、左右、前後方向は図１に示す方向を指すものとし、また本実施形態では、一方扉を左扉２ａ、他方扉を右扉２ｂとしている。図１において、１は筐体本体、２は左扉２ａと右扉２ｂとからなる観音開きの両扉である。両扉２は、垂直方向の回転軸により先に閉じられる左扉２ａの右端部に対し、後に閉じられる右扉２ｂの左端部を外側から重ね合わせることにより閉状態となる。なお、筐体本体１の開口部の周縁には従来と同様、図２に示すような水切り部３が形成されている。そしてこの水切り部３には、図３のように左扉２ａの内側周縁部に略コ字状に設けられた左パッキン４ａと、右扉２ｂの内側周縁部に略ロ字状に設けられた右パッキン４ｂとがそれぞれ当接することで、筐体本体１内への水の浸入を防止している。また図１のように、左扉２ａには水切り部３の裏面に係止される図示しない鎖錠棒を上下動させるハンドル５が設けられ、さらに右扉２ｂには、左扉２ａに形成された図示しない係止片を挟むクランプ式のハンドル６が設けられている。そしてこの両ハンドル５、６の操作によって両扉２が閉状態でロックされる。
【００１３】
図４に示すように、左扉２ａの右端部には、筐体上下方向に延びかつ筐体奥行方向（後方）に凹む水平断面略コ字状の凹陥部７が形成されており、さらにこの凹陥部７の上下端部には、それぞれ垂直断面略コ字状に形成された水切り金具１０が溶接されている。このような凹陥部７及び水切り金具１０を設けることにより、両扉２が重なり合う合わせ部上方から水が浸入しても、上部の水切り金具１０、凹陥部７、下部の水切り金具１０の順に水滴が伝わり、筐体本体１内への水の浸入を防止できるものとしている。
【００１４】
また図５に示すように、上部に設けられる水切り金具１０は、水平片１１と、この水平片１１の前方端部から垂直下方に延びる垂直片１２と、凹陥部７に溶接される下片１３とにより構成されている。なお、下片１３は、凹陥部７の形状に合わせて筐体後方に傾斜するように形成されている。
【００１５】
ここで図５及び図６に示すように、左扉２ａの内側周縁部に設けられた左パッキン４ａは、水切り金具１０の垂直片１２から右方向、即ち右扉２ｂ側に向けて突出させた突出部２０を有するものとしている。この突出部２０は、その扉側の面が、先端につれ筐体内側方向に傾斜した形状となっており、本実施形態では、従来の問題点として図９を用いて説明した隙間４０と略同一形状、即ち水平断面が略三角形状となるように形成するものとした。このような突出部２０を左パッキン４ａに形成することで、従来水切り金具１０が右扉２ｂに設けた右パッキン４ｂと当接することにより発生していた隙間４０を、図７に示すように完全に埋めることができるものとなり、両扉２の合わせ部から筐体本体１内への水の浸入を確実に防止することができる。
【００１６】
なお、本実施形態では突出部２０の形状を水平断面略三角形状としているが、これに限定されるものではなく、両扉２を閉塞した際に、水切り金具１０が右扉２ｂに設けた右パッキン４ｂと当接することにより発生していた隙間４０を埋めることができる形状であれば良い。
【００１７】
また図５及び図６のように、突出部２０は、筐体本体１側に湾曲するよう形成するものとしている。パッキン４は、人の手によって両扉２に貼り付けられることが多いため、その貼付位置にバラつきが生じてしまうことがある。そこで本実施形態のように突出部２０を筐体本体１側に僅かに湾曲させることで、左扉２ａを閉じた際に突出部２０が確実に筐体本体１の水切り部３と密着するものとなり、前述したパッキン４の貼付位置のバラつきによる影響を少なくすることができる。なお、突出部２０を僅かに湾曲させることにより、水切り金具１０の垂直片１２と突出部２０の水切り金具１０側の立設辺２０ａとの間に図６のような隙間が生じるが、突出部２０が水切り部３に当接して前方に付勢されることによりその隙間がなくなり、図７のように垂直片１２の端部に立設辺２０ａが密着するため、水の侵入を防止することができる。このとき、立設辺２０ａの奥行方向の長さを垂直片１２の厚さと略同一とすることによって、両者をより密着させて、水の侵入をより確実に防止することができる。
【００１８】
図８に示すように、右扉２ｂに設けられた右パッキン４ｂは、その端部を上方に拡張させた拡張部３０を有するものとし、この拡張部３０が水切り金具１０に形成された垂直片１２の上部を覆うものとすることが好ましい。これにより、隙間４０の上方を拡張部３００が覆うものとなるため、防水性能をさらに高めることができ、両扉２の合わせ部からの筐体本体１内への水の浸入をより確実に防止できるものとしている。
【符号の説明】
【００１９】
１  筐体本体
２  両扉
２ａ  左扉
２ｂ  右扉
３  水切り部
４  パッキン
４ａ  左パッキン
４ｂ  右パッキン
５  ハンドル
６  ハンドル
７  凹陥部
１０  水切り金具
１１  水平片
１２  垂直片
１３  下片
２０  突出部
２０ａ  立設辺
３０  拡張部
４０  隙間
【図１】
2018081994.tif 000003
【図２】
2018081994.tif 000004
【図３】
2018081994.tif 000005
【図４】
2018081994.tif 000006
【図５】
2018081994.tif 000007
【図６】
2018081994.tif 000008
【図７】
2018081994.tif 000009
【図８】
2018081994.tif 000010
【図９】
2018081994.tif 000011